(57)【要約】【課題】  形態が異なるスイッチを選択的に採用して装着することができる汎用性のある室内照明灯を提供する。【解決手段】  意匠部２０は車両の内装材１１に設けられた開口１２に取付けられ、光源３１を備える機能部３０は意匠部２０に支持されて内装材１１の裏面側に取付けられている。光源３１への電力を入断するスイッチ部３２は、機能部本体３０ａに別体で取付けられていて、機構が異なるスイッチ部３２が選択的に取り付け可能となっている。このため、スイッチ部３２が変わっても機能部本体３０ａは共通して用いることができ、汎用性を持たせることができるので、コストダウンを図ることができる。【選択図】  図４
2005263078.tif 000002
【特許請求の範囲】
【請求項１】
車両の内装材に設けられた開口に取付可能なハウジングにレンズが固定された意匠部と、
前記意匠部に支持されることにより前記内装材の裏面側に配置され、かつ、光源を備える機能部とを備え、
前記光源に電力を入断するスイッチ部が前記機能部の機能部本体に設けられている室内照明灯であって、
前記スイッチ部および前記機能部本体が別体であるとともに、前記電力を入断するための機構が異なる複数種類のスイッチ部を前記機能部本体に対して選択的に取付可能であることを特徴とする室内照明灯。
【請求項２】
前記機能部本体が、前記スイッチ部を収容可能な収容部と、前記収容部内に前記スイッチ部を案内するとともに所定位置に固定する案内手段と、前記スイッチ部が所定位置に固定された際に前記機能部に対して電気的に接続可能な接続手段とを備えることを特徴とする請求項１に記載の室内照明灯。
【発明の詳細な説明】
【技術分野】
【０００１】
本発明は室内照明灯に係り、例えば自動車の車内に取付けることができる室内照明灯に関する。
【背景技術】
【０００２】
従来より、図９に示すような自動車の車内に設けられている室内照明灯が知られている（例えば特許文献１参照）。
図９に示すように、この室内照明灯１００は、自動車の天井に設けられている開口内部に装着される機能部である機能集約ユニット１０１と、この機能集約ユニット１０１と一体化され天井の内装材に組み付けられる意匠部である合成樹脂製の矩形状をしたカバー１０２を有している。カバー１０２は、車両のフレーム、インナーパネル等に嵌め込まれる周壁１０２ａと、この周壁１０２ａに続いて室内側に位置する鍔部１０２ｂと、この鍔部１０２ｂの内側に透光性のランプカバー１０２ｃを有している。また、ランプカバー１０２ｃの一端部には、後述するスイッチ１０１ａをオン／オフする押圧式の操作ボタン１０２ｄが上下に移動可能に設けられている。
【０００３】
一方、機能集約ユニット１０１は、天井の内装材の裏側に配策されているワイヤハーネスＷ／Ｈに圧接コネクタ１０１ｂを介して電気的に接続されるものであり、バルブ１０３をオン／オフするスイッチ１０１ａ、光を発するバルブ１０３、バルブ１０３から発せられる光をランプカバー１０２ｃを通して車内に照射するための反射板１０４等が設けられている。
【０００４】
従って、内装材の裏側に配策されているワイヤハーネスＷ／Ｈに、圧接コネクタ１０１ｂにより機能集約ユニット１０１を電気的に接続して、機能集約ユニット１０１をカバーの周壁１０２ａの内側に嵌め込んで一体化する。このとき、カバー１０２に設けられている操作ボタン１０２ｄは機能集約ユニット１０１のスイッチ１０１ａの押しボタン１０１ｃの真上（室内側）に位置するので、操作ボタン１０２ｄを押圧することによりスイッチ１０１ａを切り替えることができるようになっている。
【特許文献１】特開２００３−３３５１９１号公報（図４）
【発明の開示】
【発明が解決しようとする課題】
【０００５】
ところで、前述した室内照明灯１００では、機能集約ユニット１０１において、スイッチ１０１ａはその他の機能集約ユニット１０１、すなわち圧接コネクタ１０１ｂ、反射板１０４等と一体的に設けられている。このため、形態が異なるスイッチ（例えば、プッシュロック方式、スライド切替方式、オルターロック式等）を採用する場合や交換する場合には、機能集約ユニット１０１全体をスイッチの形態に合わせて新たに作り、スイッチを装着する必要があるため面倒であると共に不経済であるという不都合があった。
【０００６】
本発明は、前述した問題点に鑑みてなされたものであり、その目的は、形態が異なるスイッチを選択的に採用して装着することができる汎用性のある室内照明灯を提供することにある。
【課題を解決するための手段】
【０００７】
前述した目的を達成するために、本発明にかかる室内照明灯は、車両の内装材に設けられた開口に取付可能なハウジングにレンズが固定された意匠部と、前記意匠部に支持されることにより前記内装材の裏面側に配置され、かつ、光源を備える機能部とを備え、前記光源に電力を入断するスイッチ部が前記機能部の機能部本体に設けられている室内照明灯であって、前記スイッチ部および前記機能部本体が別体であるとともに、前記電力を入断するための機構が異なる複数種類のスイッチ部を前記機能部本体に対して選択的に取付可能であることを特徴としている。
【０００８】
このように構成された室内照明灯においては、意匠部は車両の内装材に設けられた開口に取付けられ、光源を備える機能部は意匠部に支持されて内装材の裏面側に取付けられている。光源への電力を入断するスイッチ部は、機能部本体に別体で取付けられていて、機構が異なるスイッチ部が選択的に取り付け可能となっている。このため、スイッチ部が変わっても機能部本体は共通して用いることができ、汎用性を持たせることができるので、コストダウンを図ることができる。
【０００９】
また、本発明にかかる室内照明灯は、前記機能部本体が、前記スイッチ部を収容可能な収容部と、前記収容部内に前記スイッチ部を案内するとともに所定位置に固定する案内手段と、前記スイッチ部が所定位置に固定された際に前記機能部に対して電気的に接続可能な接続手段とを備えることを特徴としている。
【００１０】
このように構成された室内照明灯においては、機能部本体の収容部にスイッチ部を取付ける際に、スイッチ部を案内手段に従って収容部の所定位置に位置決め、固定する。また、スイッチ部を機能部本体の収容部に収容することにより、同時に、接続手段により電気的に接続されるので、スイッチ部を容易に機能部本体に取付けることができる。
【発明の効果】
【００１１】
本発明によれば、従来のようなスイッチ部が機能部に一体的に設けられている室内照明灯においては、スイッチ部が異なれば機能部をスイッチの形態に合わせて新たに作らなければならないという問題を解消でき、異なるスイッチ部について機能部を共通して用いることができるので、コストダウンを図ることができる。
【発明を実施するための最良の形態】
【００１２】
以下、本発明に係る実施形態を図面に基づいて詳細に説明する。図１は本発明の室内照明灯に係る実施形態を示す室内側から見た分解斜視図、図２は図１の室内照明灯を裏面側から見た分解斜視図、図３は機能部本体の斜視図、図４は機能部本体の分解斜視図、図５は機能部本体とスイッチ部を示す斜視図、図６は図５中VI方向から見た平面図である。
【００１３】
図１および図２に示すように、本発明の実施形態である室内照明灯１０は、車両の内装材１１に設けられた開口１２に取付可能なハウジング２１にレンズ２２が固定された意匠部２０と、意匠部２０に支持されることにより内装材１１の裏面側に配置され、かつ、光源であるバルブ３１を備える機能部３０とを備えている。また、バルブ３１に電力を入断するスイッチ部３２が機能部３０の機能部本体３０ａに設けられている。
【００１４】
意匠部２０のレンズ２２は透明あるいは半透明の樹脂製であり、各レンズ２２、２２の端部には、スイッチボタン２３が上下方向に移動可能に設けられている。従って、乗員がスイッチボタン２３を押圧することにより、機能部３０のスイッチ部３２を入断することができるようになっている。
なお、図１および図２に示した室内照明灯１０においては、例えば左右の座席のために１対のレンズ２２、２２が設けられている。両レンズ２２、２２の間には、スライドスイッチ用ツマミ２４がスライド自在に設けられており、室内照明灯１０のモードを切り替えるために機能部３０に設けられているモード切替用のスライドスイッチ３３のツマミ３４を操作することができるようになっている。
【００１５】
ハウジング２１は、室内照明灯１０を内装材１１に取付けるための壁状部材であり、矩形状の室内照明灯１０の全周にわたって設けられていて、外面には内装材１１からの脱落防止のために係止突起２１ａが適宜設けられている。図２に示すように、ハウジング２１の内側には、後述する機能部３０を嵌め込むための機能部嵌合壁２５、２５が左右のレンズ２２、２２に対応して設けられ、両機能部嵌合壁２５、２５の間にはスライドスイッチ３３を嵌め込むためのスライドスイッチ用嵌合壁２６が設けられている。機能部嵌合壁２５の高さは、室内照明灯１０を内装材１１の開口１２に押込んで取付ける際に、勢いあまって機能部３０をルーフパネルにぶつけないように空間を確保するために、機能部３０を内部に含むことができる高さに設定されている。
【００１６】
機能部３０では、左右のレンズ２２に対応して光源であるバルブ３１を有する左右の機能部本体３０ａ、３０ａが設けられており、各機能部本体３０ａには押しボタン式のスイッチ部３２が着脱自在に取付けられている。両機能部本体３０ａ、３０ａおよびモード切替用のスライドスイッチ３３は、電力供給用のワイヤハーネスＷ／Ｈに接続されている。各機能部本体３０ａ、３０ａは、各々意匠部２０における左右の機能部嵌合壁２５、２５に嵌め込まれると、バルブ３１がレンズ２２位置に位置決めされると共に、スイッチ部３２のツマミ３２ａが意匠部２０のスイッチボタン２３の位置に位置決めされるようになっている。
【００１７】
また、スライドスイッチ３３をスライドスイッチ用嵌合壁２６に嵌めることにより、スライドスイッチ３３のツマミ３４が意匠部２０に設けられているスライドスイッチ用ツマミ２４と一体でスライドするようになる。従って、乗員が室内に露出しているスライドスイッチ用ツマミ２４をスライドさせることにより、機能部３０におけるスライドスイッチ３３のツマミ３４をスライドさせてモードを切り替えることができ、例えば、ドアの開閉に連動してバルブ３１が点灯したり、常時点灯したり、あるいは常時消灯したりすることが選択できるようになっている。
【００１８】
図３〜図６には、各機能部本体３０ａが示されている。図に示すように、各機能部本体３０ａは、スイッチ部３２を収容可能な収容部３５と、この収容部３５内にスイッチ部３２を案内するとともに所定位置に固定する案内手段であるガイドレール３６と、スイッチ部３２が所定位置に固定された際に機能部３０に対して電気的に接続可能な接続手段としてスイッチ接続用の雄タブ３７とを備えている。
【００１９】
すなわち、機能部本体３０ａは、一方の側にソケット３８を有しており、このソケット３８にバルブ３１が交換自在に装着されている。従って、バルブ３１が切れた場合には、容易に交換できるようになっている。
また、機能部本体３０ａの中央部を横断する配策路３９が設けられており、この配策路３９の内部に複数の圧接刃４１が設けられている。従って、複数（図３および図４では例えば４本）の電線４２からなるワイヤハーネスＷ／Ｈを配策路３９に沿って配策し、各電線４２を適宜圧接刃４１に押し付けることにより、ワイヤハーネスＷ／Ｈを機能部本体３０ａに電気的に接続して電力を得ることができるようになっている。なお、接続されたワイヤハーネスＷ／Ｈの上からストレインリリーフカバー４３を被せて、ワイヤハーネスＷ／Ｈに引っ張り力が作用した際に各電線４２が圧接刃４１から離脱しないように保護している。
【００２０】
図５および図６に示すように、機能部本体３０ａにおける他方の側（バルブ３１と反対側）には収納部３５を有しており、この収納部３５にスイッチ部３２を交換自在に装着されるようになっている。収納部３５の両側の側壁部３５ａには、スイッチ部３２の挿入方向に沿って１対のガイドレール３６、３６が設けられている。
一方、スイッチ部３２の本体３２ｂの上面には、機能部本体３０ａに設けられている案内手段であるガイドレール３６により案内される被案内部４４が設けられており、この被案内部４４の上にスイッチツマミ３２ａを上下移動可能、かつ常時上方に付勢するツマミ案内部４５が設けられている。この被案内部４４は、円盤状の鍔部４４ａと、この鍔部４４ａとスイッチ部本体３２ｂ上面と間に形成されるガイド溝４４ｂを有しており、ガイドレール３６がガイド溝４４ｂに嵌合して移動自在に支持されるようになっている。
【００２１】
図６および図７に示すように、各ガイドレール３６は先端部分（入り口側）に幅広部３６ａが設けられており、両幅広部３６ａ、３６ａの先端間の間隔Ｌ１は、スイッチ部３２のガイド溝４４ｂの外径Ｄ１よりも若干小さめ（Ｌ１＜Ｄ１）となっている。幅広部３６ａの奥側は幅狭部３６ｂが設けられており、両幅狭部３６ｂ、３６ｂの先端間の間隔Ｌ２は、ガイド溝４４ｂの外径Ｄ１よりわずかに大きく、かつ、ガイド溝４４ｂの鍔部４４ａの外径Ｄ２よりも小さく（Ｄ１＜Ｌ２＜Ｄ２）なっている。また、鍔部４４ａの外周面が収容部３５の奥壁３５ｂに当接した状態で、ガイド溝４４ｂはガイドレール３６の幅広部３６ｂに当接しないで収容されるようになっており、この位置に位置決めされるとともに固定される。
【００２２】
図５および図６に示すように、収容部３５の奥壁３５ｂから前方に水平に突出して、複数本の薄板状の雄タブ３７が設けられている。機能部本体３０ａでは、雄タブ３７、他端が配策路３９の圧接刃４１およびバルブ３１のソケット３８を適宜連結する図示省略のバスバーが設けられている。一方、図４および図６に示すように、スイッチ部３２の本体３２ｂ前面には、雄タブ３７が挿入される雄タブ挿入穴４７が設けられており、内部には雌端子４８が設けられている。
【００２３】
スイッチ部３２を収容部３５に収容する際には、スイッチ部３２のガイド溝４４ｂが若干ガイドレール３６の幅広部３６ａを押し広げながら収容部３５に進入し、ガイド溝４４ｂが幅広部３６ａを通り過ぎるとスイッチ部３２の鍔部４４ａが収容部３５の奥壁３５ｂに当接する。このとき同時に、機能部本体３０ａの雄タブ３７がスイッチ部３２の雄タブ挿入穴４７に挿入されて、雄タブ３７と雌端子４８とが電気的に接続される。また、この状態では、鍔部４４ａとスイッチ部３２の本体３２ｂの上面との間に、ガイドレール３６が上下から挟まれるので、スイッチ部３２は収容部３５に保持されることになる。
【００２４】
従って、ワイヤハーネスＷ／Ｈにより供給された電力は、一方で圧接刃４１からバスバーおよび雄タブ３７を通り、雌端子４８からスイッチ部３２に供給される。さらに、スイッチ部３２が「入」の場合には、スイッチ部３２の雌端子４８から雄タブ３７、バスバーを通ってソケット３８に供給され、バルブ３１に供給される。また、他方では、ワイヤハーネスＷ／Ｈから圧接刃４１およびバスバーを介して直接スイッチ部３２に供給されることになるのでバルブ３１は点灯することになる。なお、スイッチ部３２が「断」の場合には、電流が一方側からしかバルブ３１に供給されないのでバルブ３１は点灯しない。
【００２５】
以上、前述した室内照明灯１０によれば、バルブ３１への電力を入断するスイッチ部３２が、機能部本体３０ａとは別体で設けられていて、機構が異なるスイッチ部を選択的に取り付け可能となっている。このため、スイッチ部３２が変わっても機能部本３０ａは共通して用いることができ、汎用性を持たせることができるので、従来のようなスイッチ部が機能部に一体的に設けられている室内照明灯と比較して、室内照明灯１０のコストダウンを図ることができる。
【００２６】
なお、本発明の室内照明灯は、前述した実施形態に限定されるものでなく、適宜な変形、改良等が可能である。
例えば、前述した実施形態においては、スイッチ部３２として、図２〜図６等に示したように押しボタン式を例示したが、これに限らず、例えば、図８に示したようなスライド式のスイッチ部４９に交換することもできる。なお、交換可能なスイッチ部は、少なくともスイッチ部本体３２ｂの大きさおよび形状が同じで収容部３５に収容可能であると共に、雄タブ挿入穴４７の位置も同じで内部に雌端子４８を含んでいることが必要である。  なお、スライド式スイッチ部４９では、被案内部４４の上ではなく、スイッチ部３２の本体３２ｂの横にスイッチツマミ４９ａをスライド自在に支持するツマミ案内部４９ｂが設けられている。
【００２７】
また、図１および図２に示したように、前述した実施形態では、機能部３０に機能部本体３０ａを２個有する場合について説明したが、１個の場合、３個以上の場合についてもまったく同様に適用することができる。
【図面の簡単な説明】
【００２８】
【図１】本発明の室内照明灯に係る実施形態を示す室内側から見た分解斜視図である。
【図２】図１の室内照明灯を裏面側から見た分解斜視図
【図３】機能部本体の斜視図
【図４】機能部本体の分解斜視図
【図５】機能部本体とスイッチ部を示す斜視図
【図６】図５中VI方向から見た平面図である。
【図７】収容部のガイドレールとスイッチ部のガイド溝等の大きさを示す説明図であり、（Ａ）は正面図、（Ｂ）は平面図である。
【図８】別の機能を有するスイッチ部の例であるスライド式スイッチを示す斜視図である。
【図９】従来の室内照明灯を示す分解斜視図である。
【符号の説明】
【００２９】
１０  室内照明灯
１１  内装材
１２  開口
２０  意匠部
２１  ハウジング
２２  レンズ
３０  機能部
３０ａ  機能部本体
３１  バルブ（光源）
３２  スイッチ部
３５  収容部
３６  ガイドレール（案内手段）
３７  雄タブ（接続手段）
【図１】
2005263078.tif 000003
【図２】
2005263078.tif 000004
【図３】
2005263078.tif 000005
【図４】
2005263078.tif 000006
【図５】
2005263078.tif 000007
【図６】
2005263078.tif 000008
【図７】
2005263078.tif 000009
【図８】
2005263078.tif 000010
【図９】
2005263078.tif 000011